(57)【要約】      （修正有）【課題】使用中の電気機器の電源コードと商業電源との間に介装することにより現在使用中の消費電力を表示により知ることができ節電できると共に、１５００Ｗ超の電流が流れると自動的に遮断することにより安全に寄与できる節電対応表示器具を提供する。【解決手段】電源プラグ２と、表示器具本体１と、該表示器具本体１に並設させた２組のプラグ用差込口４と、２組のプラグ用差込口４と電源コード３との間の回路に介装し使用中電力を計算する演算回路と、使用中電力を表示するワットメーター表示部５と、使用中電力が１５００Ｗ超に成ると２組のプラグ用差込口４と電源コード３との間を電気的に接続させた回路を遮断するブレーカー付きスイッチ６と、該ブレーカー付きスイッチ６が遮断すると点滅を繰り返す通報ランプ７とを備えた。【選択図】図１
0003171767.tif 000002
【実用新案登録請求の範囲】
【請求項１】
商業電源に挿通させる電源プラグと、該電源プラグに電源コードを介装して接続させた表示器具本体と、該表示器具本体の先端面に並設させた２組のプラグ用差込口と、該２組のプラグ用差込口と前記電源コードとの間の電気的に接続させた回路に介装し使用中電力を計算する演算回路と、該演算回路により計算された使用中電力を前記表示器具本体の上面で表示するためのワットメーター表示部と、前記演算回路により計算された使用中電力が１５００Ｗ超に成ると前記２組のプラグ用差込口と前記電源コードとの間を電気的に接続させた回路を遮断するブレーカー付きスイッチと、該ブレーカー付きスイッチが遮断すると点滅を繰り返す通報ランプと、を備えたことを特徴とする節電対応表示器具。
【考案の詳細な説明】
【技術分野】
【０００１】  本考案は、節電対応表示器具に関するものであり、更に詳細には、使用中の電気機器の電源コードと商業電源との間に介装することにより現在使用中の消費電力を表示により知ることができ節電に寄与できると共に、１５００Ｗ超の電流が流れると自動的に遮断することにより安全に寄与できる節電対応表示器具に関するものである。
【背景技術】
【０００２】  従来、この種の消費電力を表示するタップ、ソケット、コンセント類は各種開発されおり、例えば、外部電源に接続される電線７が引き出されるケースに、複数のコンセント３と、各コンセントと外部電源との接続をＯＮ・ＯＦＦするスイッチ４と、コンセント３から流出する電流を計測する変流器９と、変流器９の出力から瞬時電力、ＣＯ２換算値、又は積算電気料金を演算する計測部５と、消費電力を表示する表示器６を収納・配置する。また、計測値が設定値を超えたとき、音又は光の警報を発する手段を備えるもの（特許文献１参照）や、延長ソケットが、回路と、プラグを挿入するためのソケットが複数設けられたハウジングと、該ハウジングの一端に設けられたプラグを有する延長用ケーブルとを有し、ハウジングの表面にディスプレーが設けられ、回路がソケットの電流を測定し消費電力量を計算するＭＰＵ及び警報器を含み、ディスプレーに、前記消費電力量が表示され、ソケットの電流が規定値を超えると、前記ＭＰＵが前記警報器を駆動し、警報用音声を発生することによるもの（特許文献２参照）や、一組のプラグピン２ａ、２ｂと、一組のコンセント口３ａ、３ｂと、計測器４０のリードが差し込まれる一組のリード差込口４ａ、４ｂを有するとともに、コンセント口に臨む一組の内部接続端子間とリード差込口に臨む一組の内部接続端子間を接続して直列回路とし、かつこの直列回路の両端をプラグピンにそれぞれ接続してなる計測用コンセント１を構成するに際して、ハウジング６の側面部６ｓであって、相対向する位置にある側面部６ｓｙに、コンセント口とリード差込口をそれぞれ配するとともに、ハウジング６の底面部６ｄにプラグピンを配し、かつこの底面部６ｄに対向する位置にある平面部６ｕに表示部７を設けるもの（特許文献３参照）等が開示されている。
【特許文献１】特開２００２−９８７１５号公報
【特許文献２】実用新案登録第３１１９２０４号公報
【特許文献３】実用新案登録第３１２９８３９号公報
【考案の開示】
【考案が解決しようとする課題】
【０００３】  然し乍ら、特許文献１．２のものは夫々テーブルタップであり、多数のコンセントを有すると共に、夫々のコンセントと対応するスイッチを設けており、又、計測値が設定値を超えると警報を発するようにしているものであるが、警告だけで使用中機器の電流が自動的に遮断されるようには成って居らず、テーブルタップの近くに人が居ない場合、設定値を超える電流が流れていても気が付かないものであり、また、特許文献３のものは、コンセントであり、ハウジングの下面に商業電源のソケットに挿通させるプラグピンを突出させ、上面に表示部を設けているものであるが消費電力の表示ではなく、コンセント及びリード差込口の位置を表示するだけのものであった。
【課題を解決するための手段】
【０００４】  本考案は前記課題に鑑み、鋭意研鑽の結果、これらの課題を解決するもので、商業電源に挿通させる電源プラグと、電源プラグに電源コードを介装して接続させた表示器具本体と、表示器具本体の先端面に並設させた２組のプラグ用差込口と、２組のプラグ用差込口と電源コードとの間の電気的に接続させた回路に介装し使用中電力を計算する演算回路と、演算回路により計算された使用中電力を表示器具本体の上面で表示するためのワットメーター表示部と、演算回路により計算された使用中電力が１５００Ｗ超に成ると２組のプラグ用差込口と電源コードとの間を電気的に接続させた回路を遮断するブレーカー付きスイッチと、ブレーカー付きスイッチが遮断すると点滅を繰り返す通報ランプと、を備えたものである。
【考案の効果】
【０００５】  本考案の節電対応表示器具は、表示器具本体の先端面に並設させた２組のプラグ用差込口と、２組のプラグ用差込口と電源コードとの間に電気的に接続させた回路に介装し使用中電力を計算する演算回路と、演算回路により計算された使用中電力を表示器具本体の上面で表示するためのワットメーター表示部を備えたことにより、使用中の電気機器に付設されているプラグ、又は、接続されたテーブルタップ等のプラグをプラグ用差込口に挿通させることにより、使用中電力を知ることができることから節電意欲を喚起させ、節電に寄与できると共に、演算回路により計算された使用中電力が１５００Ｗ超に成ると回路を遮断するブレーカースイッチを備えたことから、過電流が流れると遮断され、また、落雷時の１５００Ｗ超の過電流も使用電気器に流れる防ぎ安全であり、更には、ブレーカーが遮断すると点滅を繰り返す通報ランプを備えたことにより、遮断状態を直ぐに知ることができるもので、画期的で実用性の高い有効な考案である。
【考案を実施するための最良の形態】
【０００６】  以下、本考案の節電対応表示器具の実施の形態を図面によって具体的に説明すると、図１は本考案の節電対応表示器具の実施例の平面図であり、図２は本考案の円形の節電対応表示器具の実施例の正面図である。【０００７】  本考案は、節電対応表示器具に関するものであり、更に詳細には、使用中の電気機器の電源コードと商業電源との間に介装することにより現在使用中の消費電力を表示により知ることができ節電に寄与できると共に、１５００Ｗ超の電流が流れると自動的に遮断することにより安全に寄与できる節電対応表示器具に関するものであり、商業電源に挿通させる電源プラグ２と、該電源プラグ２に電源コード３を介装して接続させた表示器具本体１と、該表示器具本体１の先端面に並設させた２組のプラグ用差込口４と、該２組のプラグ用差込口４と前記電源コード３との間の電気的に接続させた回路に介装し使用中電力を計算する演算回路（図示しない）と、該演算回路により計算された使用中電力を前記表示器具本体１の上面で表示するためのワットメーター表示部５と、前記演算回路により計算された使用中電力が１５００Ｗ超に成ると前記２組のプラグ用差込口４と前記電源コード３との間を電気的に接続させた回路を遮断するブレーカー付きスイッチ６と、該ブレーカー付きスイッチ６が遮断すると点滅を繰り返す通報ランプ７と、を備えたものである。
【実施例】
【０００８】  即ち、本考案の節電対応表示器具は、図１に図示するように、電源プラグ２と表示器具本体１と電源コード３とから成るもので、電源プラグ２は一対の栓刃を突出させたもので、建物の壁等に設置された商業電源に挿通させるもので、後述する表示器具本体１の基端面と適宜な長さの電源コード３を介装して接続させているもので、また、電源プラグ２は１８０度回動するものでも構わないものである。【０００９】  そして、表示器具本体１は、上ケーシングと下ケーシングとを合成樹脂を射出成型等の手段により形成し合着させたもので、先端に電源プラグ２を備えた電源コード３を基端面側から延設しており、上面には後述するワットメーター表示部５とブレーカー付きスイッチ６と通報ランプ７とを備えており、先端面には２組のプラグ用差込口４を備えているものである。【００１０】  次に、プラグ用差込口４は、図２に図示するように、表示器具本体１の先端面に２組備えているもので、一般的なプラグ栓刃を挿通させ内装した受刃金具と電気的接続をさせる一対の挿通口とする長穴が夫々形成されているものである。【００１１】  次いで、演算回路は、マイクロプロセッサーであり、２組のプラグ用差込口４に内装した受刃金具と電源コード３とを電気的に接続させている回路に介装させているもので、使用中電力を計算すると共に、使用中電力を１５００Ｗまで計算するものである。【００１２】  更に、ワットメーター表示部５は、表示器具本体１の上面に備えているもので、演算回路により計算された使用中電力を信号を受けて表示するものであり、デジタル表示されることにより現在の使用中電力の合計電力が解るものである。【００１３】  つまり、使用中の電気機器の使用中電力を知ることにより、例えば、テレビを１時間付けっぱなしにすると電気料金がいくら発生するか解り、無駄な電気機器の使用を避けるようになり、節電に寄与できるものである。【００１４】  更には、ブレーカー付きスイッチ６は、演算回路により計算された使用中電力の合計が１５００Ｗ超に成ると２組のプラグ用差込口４と電源コード３との間を電気的に接続させた回路を遮断させるものであり、つまり、演算回路は１５００Ｗまでは使用中電力を表示させると共に、１５００Ｗを超えるとブレーカー付きスイッチ６に信号を送り回路を閉じるものである。【００１５】  加えて、通報ランプ７は、ブレーカー付きスイッチ６が閉じると赤のＬＥＤ等のランプが点滅を繰り返すものであり、通報ランプ７を目視することによりブレーカー付きスイッチ６の切断状態を直ぐに知ることができるものである。
【産業上の利用可能性】
【００１６】  本考案は、表示器具本体の先端面に並設させた２組のプラグ用差込口と、２組のプラグ用差込口と電源コードとの間に電気的に接続させた回路に介装し使用中電力を計算する演算回路と、演算回路により計算された使用中電力を表示器具本体の上面で表示するためのワットメーター表示部５を備えたことにより、使用中の電気機器に付設されているプラグ、又は、接続されたテーブルタップ等のプラグをプラグ用差込口に挿通させることにより、使用中電力を知ることができることから節電意欲を喚起させ、節電に寄与できると共に、演算回路により計算された使用中電力が１５００Ｗ超に成ると回路を遮断するブレーカースイッチを備えたことから、過電流が流れると遮断され、また、落雷時の１５００Ｗ超の過電流も使用電気器に流れる防ぎ安全であり、更には、ブレーカーが遮断すると点滅を繰り返す通報ランプを備えたことにより、遮断状態を直ぐに知ることができる節電対応表示器具を提供するものである。
【図面の簡単な説明】
【００１７】
【図１】  図１は本考案の節電対応表示器具の実施例の平面図である。
【図２】  図２は本考案の節電対応表示器具の実施例の正面図である。
【符号の説明】
【００１８】１      表示器具本体
２      電源プラグ
３      電源コード
４      プラグ用差込口
５      ワットメーター表示部
６      ブレーカー付きスイッチ
７      通報ランプ
【図１】
0003171767.tif 000003
【図２】
0003171767.tif 000004